(57)【要約】【課題】本発明は、ゲームをすることに便利である作動部品を備える携帯電話を提供することを目的とする。【解決手段】本発明に係る携帯電話は、ベースと、上カバーと、作動部品と、を備える。前記ベースは底板を備え、前記上カバーには通孔が設けられ、前記作動部品は弾性部品と、前記上カバーにスライド可能に装着される固定部品と、定位部品と、作動部品と、を備え、前記弾性部品は前記定位部品と前記底板との間に挟まれ、前記作動部品の底端は前記定位部品に可動に収容され、前記定位部品には前記作動部品に当接するセンサーが収容され、前記作動部品の上端は前記通孔を挿通し且つ操作されることが可能であり、前記底板に向けて前記作動部品を押圧し、前記弾性部品を弾性変形させ、前記作動部品に向けて前記固定部品をスライドし、前記作動部品を固定する。【選択図】図７
2014230273.tif 000002
【特許請求の範囲】
【請求項１】
ベースと、
上カバーと、
作動部品と、
を備えてなる携帯電話であって、
前記ベースは底板を備え、前記上カバーには通孔が設けられ、前記作動部品は弾性部品と、前記上カバーにスライド可能に装着される固定部品と、定位部品と、作動部品と、を備え、前記弾性部品は前記定位部品と前記底板との間に挟まれ、前記作動部品の底端は前記定位部品に可動に収容され、前記定位部品には前記作動部品に当接するセンサーが収容され、前記作動部品の上端は前記通孔を挿通し且つ操作されることが可能であり、前記底板に向けて前記作動部を押圧し、前記弾性部品を弾性変形させ、前記作動部品に向けて前記固定部品をスライドし、前記作動部品を固定することを特徴とする携帯電話。
【請求項２】
前記上カバーは板体と前記板体の一端に連接される端壁とを備え、前記通孔は前記板体に設けられ、前記端壁には前記通孔と連通するスライドスロットが設けられ、前記固定部品は前記スライドスロットにスライド可能に収容される固定片を備え、前記スライドスロットには突出部が突設され、前記固定片の一側には固定孔が設けられ、前記作動部品を操作する時、前記突出部は前記固定孔に係合されることを特徴とする請求項１に記載の携帯電話。
【請求項３】
前記固定片の前記一側には係合孔が設けられ、前記固定片には定位孔が設けられ、前記作動部品が固定される時、前記作動部品は前記係合孔に係合され、前記突出部は前記定位孔に係合されることを特徴とする請求項２に記載の携帯電話。
【請求項４】
前記作動部は前記係合孔に係合される軸部を備え、前記軸部には突起部が突設され、前記作動部品が固定される時、前記突起部は前記固定片の底面に当接されることを特徴とする請求項３に記載の携帯電話。
【請求項５】
前記作動部の底端には球状を呈する連動部が連接され、前記定位部品は基部と前記基部に着脱可能に装着される当止部とを備え、前記基部の上面には半球状を呈する窪み部が設けられ、前記センサーは前記窪み部の底部に設置され、前記当止部には貫通孔が設けられ、前記貫通孔の下部は半球状を呈し、前記連動部は前記窪み部及び前記貫通孔の下部に収容され且つ前記センサーに当接されることを特徴とする請求項１から４の何れか一項に記載の携帯電話。
【請求項６】
前記底板の内側には、前記定位部品及び前記弾性部品を収容する収容部及び前記収容部に着脱可能に装着される蓋体が設置され、前記蓋体には前記作動部品を挿通させる貫通孔が設けられていることを特徴とする請求項１から５の何れか一項に記載の携帯電話。
【発明の詳細な説明】
【技術分野】
【０００１】
本発明は、携帯電話に関するものである。
【背景技術】
【０００２】
従来の技術において、スマートフォンは、通常タッチパネルを使用し、このタッチパネルに触れることで、様々な操作ができる。しかし、スマートフォンでゲームをする場合、操作速度は遅く、反応が低いので不便である。
【発明の概要】
【発明が解決しようとする課題】
【０００３】
本発明の目的は、前記問題を解決し、ゲームをすることに便利な作動部品を備える携帯電話を提供することである。
【課題を解決するための手段】
【０００４】
上記目的を達成するために、本発明に係る携帯電話は、ベースと、上カバーと、作動部品と、を備える。前記ベースは底板を備え、前記上カバーには通孔が設けられ、前記作動部品は弾性部品と、前記上カバーにスライド可能に装着される固定部品と、定位部品と、作動部品と、を備え、前記弾性部品は前記定位部品と前記底板との間に挟まれ、前記作動部品の底端は前記定位部品に可動に収容され、前記定位部品には前記作動部品に当接するセンサーが収容され、前記作動部品の上端は前記通孔を挿通し且つ操作されることが可能であり、前記底板に向けて前記作動部品を押圧し、前記弾性部品を弾性変形させ、前記作動部品に向けて前記固定部品をスライドし、前記作動部品を固定する。
【発明の効果】
【０００５】
本発明に係る携帯電話は、センサーに当接する作動部品を備え、この作動部品を操作することで、センサーを介してゲームを制御できるので、便利である。
【図面の簡単な説明】
【０００６】
【図１】本発明の実施形態に係る携帯電話の分解斜視図である。
【図２】図１に示す携帯電話の上カバーの側面図である。
【図３】図１に示す携帯電話の一部の組立斜視図であり、携帯電話の作動部、基部、弾性部が底板に装着される状態を示す図である。
【図４】図３に示す携帯電話の一部の組立斜視図であり、当止部が基部に装着される状態を示す図である。
【図５】図４に示す携帯電話の一部の組立斜視図であり、蓋体が収容部に装着された状態を示す図である。
【図６】図１に示す携帯電話の組立斜視図である。
【図７】図６に示す携帯電話のＶＩＩ−ＶＩＩ線に沿った断面図である。
【発明を実施するための形態】
【０００７】
図１〜図２に示したように、本発明の実施形態に係る携帯電話は、ベース１０と、上カバー２０と、作動部品３０と、を備える。
【０００８】
ベース１０は、底板１２を備える。底板１２の内側には、中空の収容部１２２及び収容部１２２に着脱可能に装着される蓋体１２４が設置される。蓋体１２４には、蓋体１２４の上面及び底面を貫通する貫通孔１２６が設けられている。
【０００９】
上カバー２０は、板体２００と、板体２００の一端から下方へ垂直に延伸する端壁２０４と、を備え、この端壁２０４には、スライドスロット２２が設けられている。板体２００には、板体２００の上面及び底面を貫通し且つスライドスロット２２と垂直に連通する通孔２４が設けられている。スライドスロット２２の上壁（板体２００に隣接する内壁）からは、半球状を呈する突出部２６が下方へ突出している。
【００１０】
作動部品３０は、弾性部品３２と、弾性部品３２の上端に設置される定位部品３４と、作動部品３６と、固定部品３８と、を備える。
【００１１】
定位部品３４は、弾性部品３２の上端に装着された基部３４０と、基部３４０に着脱可能に装着される当止部３４２と、を備える。当止部３４２には貫通孔３４４が設けられている。当止部３４２の上面及び底面には、貫通孔３４４の中心部側に、面取りされた、円滑な傾斜面がそれぞれ形成されているので、貫通孔３４４の上部及び下部はそれぞれ半球形を呈する。基部３４０の上面には、半球状を呈する窪み部３４６が設けられている。窪み部３４６の底部には、携帯電話の制御ユニット(図示せず)に接続されるセンサー３４８が設置されている。
【００１２】
作動部品３６は、軸部３６０と、軸部３６０の上端に設置された球状を呈する操作部３６２と、軸部３６０の底端に設置され、球状を呈し且つ操作部３６２よりサイズが大きい連動部３６４と、を備える。操作部３６２の直径は、軸部３６０の直径より大きい。軸部３６０の外周面には、操作部３６２に隣接し、且つ互いに反対側に位置する２つの突起部３６６が突出している。
【００１３】
固定部品３８は、操作片３８０と、操作片３８０の一側から垂直に延出した固定片３８２と、を備える。固定片３８２の一側には、操作片３８０と離れて位置する係合孔３８４と、操作片３８０に隣接して位置する固定孔３８６と、が設けられている。固定片３８２における固定孔３８６に隣接する部分には、固定孔３８６と同じ方向に延在する定位孔３８８が設けられている。
【００１４】
図３〜図７を参照すると、作動部品３０を組み立てる際、弾性部品３２及び定位部品３４を収容部１２２内に収容する。この際、弾性部品３２は定位部品３４の下方に位置し、作動部品３６の連動部３６４は、基部３４０の窪み部３４６内に収容され且つセンサー３４８に当接される。次に、作動部品３０の軸部３６０及び操作部３６２を貫通孔３４４に挿通させるように、当止部３４２を上から下へ基部３４０に装着する。これによって、連動部３６４は、可動に定位部品３４内に収容される。次いで、作動部品３０の軸部３６０及び操作部３６２を貫通孔１２６に挿通させるように、蓋体１２４を収容部１２２に装着する。
【００１５】
固定片３８２は、スライドスロット２２内に挿入され、操作片３８０は、端壁２０４の外側に当接される。この際、突出部２６は固定孔３８６に係合され、固定片３８２は、上カバー２０の通孔２４の一側に位置する。
【００１６】
操作部３６２を、上カバー２０の通孔２４に挿通し且つ上カバーの上面から突出するように、上カバー２０をベース１０に装着する。これにより、操作部３６２は動いて、連動部３６４を連動させるため、ゲームすることができる。具体的には、センサー３４８は、連動部３６４の動きを検知し、携帯電話の制御ユニットに対応する信号を送信し、制御ユニットに対応する制御を実行させる。
【００１７】
ゲームをしない場合、ベース１０に向かって操作部３６２を押圧すると、弾性部品３２は弾性変形する。次いで、作動部品３０に向けて操作片３８０をスライドさせ、軸部３６０を係合孔３８４内に係合させる。これにより、突起部３６６は固定片３８２の底面に当止され、突出部２６は定位孔３８８内に係合されるため、作動部品３０が動かないように固定することができる。この際、操作部３６２の下部は通孔２４内に収容される。
【符号の説明】
【００１８】
１０  ベース
１２  底板
１２２  収容部
１２４  蓋体
１２６、３４４  貫通孔
２０  上カバー
２００  板体
２０４  端壁
２２  スライドスロット
２４  通孔
２６  突出部
３０  作動部品
３２  弾性部品
３４  定位部品
３４０  基部
３４２  当止部
３４６  窪み部
３４８  センサー
３６  作動部品
３６０  軸部
３６２  操作部
３６４  連動部
３６６  突起部
３８  固定部品
３８０  操作片
３８２  固定片
３８４  係合孔
３８６  固定孔
３８８  定位孔
【図１】
2014230273.tif 000003
【図２】
2014230273.tif 000004
【図３】
2014230273.tif 000005
【図４】
2014230273.tif 000006
【図５】
2014230273.tif 000007
【図６】
2014230273.tif 000008
【図７】
2014230273.tif 000009